【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
画像供給デバイスから供給される画像データに基づいて記録媒体に画像を記録する記録装置であって、
前記画像供給デバイスから送信される層構造の印刷コマンドを受信する受信手段と、
前記印刷コマンドの上位層が１つの記録媒体に複数の画像を記録する第１記録モードを指定しているかを判定する第１判定手段と、
前記第１判定手段により前記第１記録モードが指定されていると判定されると、前記上位層の下層で指定されている第２記録モードを判定する第２判定手段と、
前記第２判定手段による前記第２記録モードの判定ができない場合、前記第１判定手段により判定された前記第１記録モードに応じた記録動作を実行し、
前記第２判定手段による前記第２記録モードの判定が可能である場合は前記第２判定手段により判定された前記第２記録モードに従って記録を行うように制御する制御手段と、を有することを特徴とする記録装置。
【請求項２】
前記第２記録モードは、同一記録媒体に記録される前記複数の画像のそれぞれの位置を決定して記録するモードであることを特徴とする請求項１に記載の記録装置。
【請求項３】
前記第２記録モードは、同一記録媒体に記録される前記複数の画像の一方の画像上に他方の画像を重畳させて記録するモードであることを特徴とする請求項１に記載の記録装置。
【請求項４】
前記第２記録モードが背景画像と、当該背景画像に重畳される画像との合成による記録モードを含む場合、
前記背景画像を特定する特定手段と、
前記特定手段により特定した背景画像を前記記録媒体のサイズに応じて変倍する変倍手段とを更に有することを特徴とする請求項１又は２に記載の記録装置。
【請求項５】
前記特定手段は、画像供給デバイスにおける画像ファイルの格納場所に基づいて前記背景画像かどうかを識別することを特徴とする請求項４に記載の記録装置。
【請求項６】
前記特定手段は、画像供給デバイスにおける画像ファイルのファイル名に基づいて前記背景画像かどうかを識別することを特徴とする請求項４に記載の記録装置。
【請求項７】
前記特定手段は、画像供給デバイスにおける画像ファイルのファイルタイプに基づいて前記背景画像かどうかを識別することを特徴とする請求項４に記載の記録装置。
【請求項８】
前記特定手段は、画像供給デバイスにおける画像ファイルのタグ情報に基づいて前記背景画像かどうかを識別することを特徴とする請求項４に記載の記録装置。
【請求項９】
前記特定手段は、画像供給デバイスから転送される画像ファイルの転送順に基づいて前記背景画像かどうかを識別することを特徴とする請求項４に記載の記録装置。
【請求項１０】
画像供給デバイスと記録装置とを有し、前記画像供給デバイスから供給される画像データに基づいて前記記録装置により記録媒体に画像を記録する記録システムであって、
前記画像供給デバイスは層構造の印刷コマンドを記録装置に送信し、
前記記録装置は、
前記画像供給デバイスから送信される層構造の印刷コマンドを受信する受信手段と、
前記印刷コマンドの上位層が１つの記録媒体に複数の画像を記録する第１記録モードを指定しているかを判定する第１判定手段と、
前記第１判定手段により前記第１記録モードが指定されていると判定されると、前記上位層の下層で指定されている第２記録モードを判定する第２判定手段と、
前記第２判定手段による前記第２記録モードの判定ができない場合、前記第１判定手段により判定された前記第１記録モードに応じた記録動作を実行し、
前記第２判定手段による前記第２記録モードの判定が可能である場合は前記第２判定手段により判定された前記第２記録モードに従って記録を行うように制御する制御手段と、を有することを特徴とする記録システム。
【請求項１１】
前記第２記録モードは、同一記録媒体に記録される前記複数の画像のそれぞれの位置を決定して記録するモードであることを特徴とする請求項１０に記載の記録システム。
【請求項１２】
前記第２記録モードは、同一記録媒体に記録される前記複数の画像の一方の画像上に他方の画像を重畳させて記録するモードであることを特徴とする請求項１０に記載の記録システム。
【請求項１３】
画像供給デバイスから供給される画像データに基づいて記録装置により記録媒体に画像を記録する記録システムにおける制御方法であって、
前記画像供給デバイスから層構造の印刷コマンドを前記記録装置に送信する送信工程と、
前記送信工程で送信された前記印刷コマンドの上位層が１つの記録媒体に複数の画像を記録する第１記録モードを指定しているかを判定する第１判定工程と、
前記第１判定工程で前記第１記録モードが指定されていると判定されると、前記上位層の下層で指定されている第２記録モードを判定する第２判定工程と、
前記第２判定工程で前記第２記録モードの判定ができない場合、前記第１判定工程により判定された前記第１記録モードに応じた記録動作を実行する工程と、
前記第２判定工程で前記第２記録モードの判定が可能である場合は前記第２判定工程で判定された前記第２記録モードに従って記録を行う工程と、
を有することを特徴とする制御方法。
【請求項１４】
前記第２記録モードは、同一記録媒体に記録される前記複数の画像のそれぞれの位置を決定して記録するモードであることを特徴とする請求項１３に記載の制御方法。
【請求項１５】
前記第２記録モードは、同一記録媒体に記録される前記複数の画像の一方の画像上に他方の画像を重畳させて記録するモードであることを特徴とする請求項１３に記載の制御方法。
【請求項１６】
画像供給デバイスから供給される画像データに基づいて記録装置により記録媒体に画像を記録する記録システムにおける制御方法をコンピュータに実行させるプログラムであって、
前記画像供給デバイスから層構造の印刷コマンドを前記記録装置に送信する送信工程モジュールと、
前記送信工程モジュールで送信された前記印刷コマンドの上位層が１つの記録媒体に複数の画像を記録する第１記録モードを指定しているかを判定する第１判定工程モジュールと、
前記第１判定工程モジュールで前記第１記録モードが指定されていると判定されると、前記上位層の下層で指定されている第２記録モードを判定する第２判定工程モジュールと、
前記第２判定工程モジュールで前記第２記録モードの判定ができない場合、前記第１判定工程モジュールで判定された前記第１記録モードに応じた記録動作を実行する工程モジュールと、
前記第２判定工程モジュールで前記第２記録モードの判定が可能である場合、前記第２判定工程モジュールで判定された前記第２記録モードに従って記録を行う工程モジュールと、
を有することを特徴とするプログラム。
【手続補正２】
【補正対象書類名】明細書
【補正対象項目名】発明の名称
【補正方法】変更
【補正の内容】
【発明の名称】記録装置と記録システム及びその制御方法、プログラム
【手続補正３】
【補正対象書類名】明細書
【補正対象項目名】０００１
【補正方法】変更
【補正の内容】
【０００１】
本発明は、画像供給デバイスから供給される画像データを基に記録媒体に画像を記録する記録装置と記録システム及びその制御方法とそのプログラムに関するものである。
【手続補正４】
【補正対象書類名】明細書
【補正対象項目名】００１５
【補正方法】変更
【補正の内容】
【００１５】
本発明はこのような課題に鑑みてなされたもので、本発明の特徴は、画像供給デバイスから記録装置に対して記録モードを容易に指定でき、かつ記録装置においても、有している記録機能に応じた記録を行うことができる記録装置と記録システム及びその制御方法とそのプログラムを提供することにある。
【手続補正５】
【補正対象書類名】明細書
【補正対象項目名】００１９
【補正方法】削除
【補正の内容】